(57)【特許請求の範囲】
【請求項１】
（ａ）  処理溶液が注入された容器本体と、容器本体に螺着される蓋体とによって構成され、
（ｂ）  蓋体が容器本体に回せない程度に強固に螺着されて、蓋体が容器本体に密着した完全密封状態において蓋体と容器本体に跨がるラベルが貼り付けられており、
（ｃ）  そのラベルに蓋体と容器本体の境界線に沿ったミシン目が付けられており、
（ｄ）  そのラベルのミシン目が重なる位置に印刷が施されており、
（ｅ）  そのラベルの表面に検体採取日、被検者名、検体採取機関等を書き込むスペースが設けられていることを特徴とする医療検体保管容器。
【発明の詳細な説明】
【０００１】
【発明の属する技術分野】
本発明は、人体から採取された肉片、痰、尿、血液、その他の体液等の検体を保管するために使用される医療検体保管容器（以下、保管容器と言う。）に関するものである。
【０００２】
【従来の技術】
人体から採取された検体は、検査機関に送られ、そこで検査されるまで一時的に保管される。保管容器は、容器本体と蓋体とから成り、それらは中に納められている検体や保存液、試薬等の処理溶液が漏れ出ないように螺着されて一体化し密封されるようになっている。検体を納めた保管容器には、その検体の被検者名や検体採取日が書き込まれる。その検体が、それを採取した病院や診療所、保健所などの採取機関から離れた検査機関に送られるときは、その採取機関や検査機関も保管容器に書き込まれる。それらの記入事項は、保管容器の外面に耐水性のフエルトペンで直接書き込まれるか、それらの記入事項を書き込んだラベルが保管容器に貼り付けられる。保管容器には、記入欄を設けたラベルが予め貼り付けられたものもある。
【０００３】
【発明が解決しようとする課題】
使用前の保管容器では、その中の処理溶液が溢れ出ないように容器本体と蓋体が確り螺着された密封状態になっている。しかし、保管容器は不特定多数の被検者に使用され、検体採取後の容器本体と蓋体との締め付け加減は、それを扱う医師や被検者毎にまちまちになる。このため、検体の納められた保管容器の中には、容器本体と蓋体との締め付けが不十分で検体や処理溶液が滲み出し易い状態のものもあり、それが時として滲み出たり溢れ出て検査ミスを招き、環境汚染や院内感染の問題を惹起する。そこで検体採取後の保管容器をシュリンクフィルムで包んで密封する方法も採られるが、その場合はシュリンクフィルムを熱収縮させるための加熱装置とその密封作業のための人手が必要になり、検体の検査がコスト高になる。又、細菌検査用の保管容器は滅菌処理されているが、その使用前に開けられて雑菌が混入することがないように保管容器をポリ袋に入れ封印して用意され、使用時の開封やポリ袋の始末に手間取る。
【０００４】
【発明の目的】
本発明は、検体採取後の容器本体と蓋体との締め付け加減を目視によって容易に判別し得るようにし、検体の納められた保管容器を使用前と同様に完全密封状態で保管し得るようにすることを目的とする。
【０００５】
【課題を解決するための手段】
本発明に係る医療検体保管容器は、処理溶液１１が注入された容器本体１２と、容器本体１２に螺着される蓋体１３とによって構成され、蓋体１３が容器本体１２に螺着された密封状態において蓋体１３と容器本体１２に跨がるラベル１４が貼り付けられており、そのラベル１４に蓋体１３と容器本体１２の境界線１５に沿ったミシン目１６が付けられており、そのラベル１４の表面に検体採取日、被検者名、検体採取機関等を書き込むスペースが設けられていることを特徴とする。
【０００６】
【発明の実施の形態】
蓋体１３と容器本体１２が嵌合し螺着する部分には、それぞれ対応する螺子山１７が付けられる。ミシン目１６は、保管容器を開けるために蓋体１３と容器本体１２を回すとき、それらの境界線１５に沿って作用する剪断応力によってラベル１４が破れる形状のもの、つまり、ラベル１４の蓋体１３と容器本体１２と境界線１５に重なる部分が他の部分より強度的に弱く破れ易くするものであればよい。
【０００７】
ラベル１４の保管容器への貼り付けには、そのように蓋体１３と容器本体１２を回すとき、ラベル１４が保管容器から剥離しない程度の接着力のある湿式や乾熱式の接着剤や粘着剤が使用される。ラベル１４の材質は、紙でもプラスチックフイルムでもよいが、プラスチックフイルムを使用するときは、その表面にボールペンやフエルトペンで検体採取日、被検者名、検体採取機関等の記入事項を書き込めるように表面処理を施しておく。書込欄は、白紙（余白）の状態でもよいが、検体採取日、被検者名、検体採取機関名、検査機関名、検査項目、生年月日等は横書き（境界線１５に平行）に表示するとよく、特に、それらの文字、或いは、注意書の文字２０をミシン目１６が重なる位置に横書きに印刷しておくとよい。その他、ラベル１４には、保管容器の製造元や取扱上の注意事項等を印刷し、又、全体を縁取る縁取り線１９や地模様等を印刷しておくとよい。
【０００８】
【発明の効果】
本発明によると、蓋体１３が容器本体１３に螺着された密封状態において蓋体１３と容器本体１２に跨がるラベル１４が貼り付けられており、そのラベル１４に蓋体１３と容器本体１２の境界線１５に沿ったミシン目１６が付けられている（図１（ａ））。このため、蓋体１３と容器本体１２を回すと、そのミシン目１６に沿ってラベル１４が蓋体側１４ａと容器本体側１４ｂとに綺麗に剪断されて分かれる（図１（ｂ））。このため、検体採取後に容器本体１２と蓋体１３を回して閉じるとき、それらの締め付けが不十分であるか否かは、それら蓋体側のラベル片１４ａの輪郭１８ａと容器本体側のラベル片１４ｂの輪郭１８ｂが一致しているか否かによって確かめることが出来る（図１（ｃ））。その場合、それらの輪郭１８ａと１８ｂが一致していなければ、それらが一致するように容器本体１２と蓋体１３を強く回せば、使用前と同様に検体の納められた保管容器が完全密封状態になり、検体や処理溶液の滲み出しや溢れが回避されることになる（図１（ｄ））。そのとき更に強く回すと、蓋体側のラベル片１４ａの輪郭１８ａと容器本体側のラベル片１４ｂの輪郭１８ｂの間に僅かな位置ズレが生じることもあり得るが、その位置ズレは回転方向に沿って生じるものであり、而も、その状態では容器本体１２と蓋体１３が逆方向には容易に回せない程度に強固に密着しているので、その場合の位置ズレによって保管容器が完全密封状態にあるか否かの判断を誤ることはない。
【０００９】
ミシン目１６が重なる位置に文字２０が横書きに印刷されたラベル１４や全体を縁取る縁取り線１９が印刷されたラベル１４では、ラベル１４の輪郭線１８だけではなく、その印刷された蓋体側の文字２０や縁取り線１９と容器本体側の文字２０や縁取り線１９が、剪断されたミシン目１６を境にして一致しているか否かその位置ズレの具合によって、或いは、蓋体側のラベル片１４ａの輪郭１８ａと容器本体側のラベル片１４ｂの輪郭１８ｂとの位置ズレの具合によって、保管容器が完全密封状態になっているか否かを確かめることが出来ので、保管容器の密封具合をより正確に確かめることが出来る。
【００１０】
滅菌処理された保管容器では、それが使用前に開封されたか否かが、ミシン目１６の亀裂の有無によって確かめられるので、それをポリ袋に入れて封印したり、使用時に開封する手間が省かれ、ポリ袋も不要になり、使用後のポリ袋をゴミとして処理する必要もなくなる。
【００１１】
本発明によると、検体や処理溶液の滲み出しや溢れを回避する手段が、検体採取日、被検者名、検体採取機関等の書込欄が設けられたラベル１４であるから保管容器の体裁を損なわず、そのラベル１４に蓋体１３と容器本体１２の境界線１５に沿ったミシン目１６を付設するだけで本発明所期の目的が達成されるので保管容器をコスト高にせず、ミシン目１６に沿ってラベル１４を蓋体側１４ａと容器本体側１４ｂに切り離す操作は、保管容器を開けるために容器本体１２と蓋体１３を回すと言う当然に行われる操作であるから、保管容器が取り扱い難くなることもない。かくして従来必要とされたシュリンクフィルムやその加熱装置が不要になり、その操作の手間も省けるので、本発明は極めて実用的である。
【図面の簡単な説明】
【図１】本発明に係る医療検体保管容器の使用前の状態と閉じる過程の状態と使用後の状態を順を追って示す斜視図である。
【図２】本発明に係る医療検体保管容器の要部拡大正面図である。
【符号の説明】
１１  処理溶液
１２  容器本体
１３  蓋体
１４  ラベル
１５  境界線
１６  ミシン目
１７  螺子山
１８  輪郭
１９  文字
２０  縁取り線
【図１】
0003639897.tif 000002
【図２】
0003639897.tif 000003